(57)【要約】      （修正有）【課題】工具箱の蓋体および箱体の開閉をより便利でスムーズにし、なおかつ壊れにくい、開閉が便利な工具箱を提供する。【解決手段】工具箱は、箱体１と箱体１にヒンジ連結される蓋体２とを含む。箱体１の内壁に凹部が設けられ、蓋体２の内側面に留め具２０１がヒンジ連結される。留め具２０１に凹部と組み合わさる突起２０１１が設けられ、留め具２０１および蓋体２のヒンジ連結端に連接棒２０１２が設けられる。蓋体２の外側面に連接棒２０１２を押し動かして留め具２０１を回転させることができる開錠ブロックが設けられ、留め具２０１と蓋体２との間に、留め具２０１が回転した後、留め具２０１に弾力を生じさせて留め具２０１を元の位置に戻すことができる弾性機構が設けられる。【選択図】図１
0003203412.tif 000002
【実用新案登録請求の範囲】
【請求項１】
箱体（１）と箱体にヒンジ連結される蓋体（２）とを含む、開閉が便利な工具箱であって、前記箱体の内壁に凹部（１０１）が設けられ、前記蓋体の内側面に留め具（２０１）がヒンジ連結され、前記留め具に凹部と組み合わさる突起（２０１１）が設けられ、留め具および蓋体のヒンジ連結端に連接棒（２０１２）が設けられ、蓋体の外側面に連接棒を押し動かして留め具を回転させることができる開錠ブロック（２０３）が設けられ、留め具と蓋体との間に、留め具が回転した後、留め具に弾力を生じさせて留め具を元の位置に戻すことができる弾性機構が設けられることを特徴とする、工具箱。
【請求項２】
前記蓋体（２）の外側面に第１の溝（２０４）が設けられ、蓋体の内側面に第１の溝と通じる貫通孔（２０５）が設けられ、前記連接棒（２０１２）の一端が貫通孔に挿入され、前記突起（２０１１）が連接棒のもう一端に設置され、前記開錠ブロック（２０３）が第１の溝中にスライドするように設置され、開錠ブロックの一端が貫通孔に挿入されて連接棒に当接することを特徴とする、請求項１に記載の開閉が便利な工具箱。
【請求項３】
前記蓋体（２）の内側面にいくつかの柱体（２０６）が設けられ、前記留め具（２０１）および柱体がヒンジ連結軸（２０７）でヒンジ連結されてつながることを特徴とする、請求項２に記載の開閉が便利な工具箱。
【請求項４】
前記弾性機構がヒンジ連結軸に嵌着されるねじりバネ（３）であり、ねじりバネの一端は留め具（２０１）とつながり、ねじりバネのもう一端は柱体（２０６）とつながることを特徴とする、請求項３に記載の開閉が便利な工具箱。
【請求項５】
前記弾性機構が留め具（２０１）と蓋体（２）との間に設置されるバネ（４）であり、バネの一端が蓋体の内側面とつながり、バネのもう一端が留め具とつながることを特徴とする、請求項３に記載の開閉が便利な工具箱。
【請求項６】
前記凹部（１０１）の上端の外壁に第１の斜面（１０１１）が設けられ、前記突起（２０１１）に第１の斜面と符合する第２の斜面（２０１１ａ）が設けられることを特徴とする、請求項４または５に記載の開閉が便利な工具箱。
【請求項７】
前記第１の溝（２０４）の側壁に、開錠ブロック（２０３）に当接するストッパー（２０４１）が設けられることを特徴とする、請求項６に記載の開閉が便利な工具箱。
【請求項８】
前記箱体（１）内に仕切箱（５）が設けられ、前記仕切箱の周囲に外側に延伸する突出部（５０１）が設けられ、前記突出部に第２の溝（５０２）が設けられ、箱体の内壁に突部（１０２）が設けられ、突部に固定片（１０３）が設けられ、前記固定片が第２の溝と係着して組み合わさることを特徴とする、請求項７に記載の開閉が便利な工具箱。
【請求項９】
前記蓋体（２）の外側面に第３の溝（２０８）が設けられ、第３の溝中に提げ手（２０９）が設けられ、前記提げ手が第３の溝の側壁にヒンジ連結され、提げ手を回転させて第３の溝中に収納することができることを特徴とする、請求項８に記載の開閉が便利な工具箱。
【請求項１０】
前記箱体（１）の両側の外壁に第４の溝（１０４）が設けられ、第４の溝に防護プレート（１０５）が設けられ、防護プレートがボルト（１０６）で第４の溝中に固定されることを特徴とする、請求項９に記載の開閉が便利な工具箱。
【考案の詳細な説明】
【技術分野】
【０００１】
本考案は、開閉が便利な工具箱に関する。
【背景技術】
【０００２】
工具箱は工具および部品を統合する機能を有し、工事技術者、保守管理者に不可欠な構成である。既存の工具箱の蓋体および箱体の開閉方式は、通常留め金式が採用されるが、工具箱を長い間置いておくと、留め金式構造は容易にさびて施錠および開錠が困難になる。さらに留め金式の構造は、箱体外側に設置されるため容易にぶつかって変形し、使用が不便になる。
【考案の概要】
【考案が解決しようとする課題】
【０００３】
本考案が解決しようとする技術的問題は、蓋体および箱体の開閉をより便利でスムーズにし、なおかつ壊れにくい、開閉が便利な工具箱を提供することである。
【課題を解決するための手段】
【０００４】
上記技術的問題を解決するため、本考案は以下の技術案を採用する。
開閉が便利な工具箱は、箱体と箱体にヒンジ連結される蓋体とを含む。前記箱体の側壁に凹部が設けられ、前記蓋体の内側面に留め具がヒンジ連結される。前記留め具に凹部と組み合わさる突起が設けられ、留め具および蓋体のヒンジ連結端に連接棒が設けられる。蓋体の外側面に連接棒を押し動かして留め具を回転させることができる開錠ブロックが設けられ、留め具と蓋体との間に、留め具が回転した後、留め具に弾力を生じさせて留め具を元の位置に戻すことができる弾性機構が設けられる。
【０００５】
好ましくは、前記蓋体の外側面に第１の溝が設けられ、蓋体の内側面に第１の溝と通じる貫通孔が設けられる。前記連接棒の一端は貫通孔に挿入され、前記突起は連接棒のもう一端に設置される。前記開錠ブロックは第１の溝中にスライドするように設置され、開錠ブロックの一端は貫通孔に挿入されて連接棒に当接する。
【０００６】
好ましくは、前記蓋体の内側面にいくつかの柱体が設けられ、前記留め具および柱体はヒンジ連結軸でヒンジ連結されてつながる。
【０００７】
好ましくは、前記弾性機構はヒンジ連結軸に嵌着されるねじりバネであり、ねじりバネの一端は留め具とつながり、ねじりバネのもう一端は柱体とつながる。
【０００８】
好ましくは、前記弾性機構は留め具と蓋体との間に設置されるバネであり、バネの一端は蓋体の内側面とつながり、バネのもう一端は留め具とつながる。
【０００９】
好ましくは、前記凹部の上端の外壁に第１の斜面が設けられ、前記突起に第１の斜面と符合する第２の斜面が設けられる。
【００１０】
好ましくは、前記第１の溝の側壁に、開錠ブロックに当接するストッパーが設けられる。
【００１１】
前記箱体内に仕切箱が設けられ、前記仕切箱の周囲に外側に延伸する突出部が設けられ、前記突出部に第２の溝が設けられる。箱体の内壁に突部が設けられ、突部に固定片が設けられ、前記固定片は第２の溝と係着して組み合わさる。
【００１２】
好ましくは、前記蓋体の外側面に第３の溝が設けられ、第３の溝中に提げ手が設けられる。好ましくは、前記提げ手は第３の溝の側壁にヒンジ連結され、提げ手を回転させて第３の溝中に収納することができる。
【００１３】
好ましくは、前記箱体の両側の外壁に第４の溝が設けられ、第４の溝に防護プレートが設けられる。防護プレートはボルトで第４の溝中に固定される。
【考案の効果】
【００１４】
本考案の有益な効果は次の通りである。
本考案の蓋体および箱体は、凹部および留め具の突起が係着して組み合わさり、開錠ブロックを押し動かすことにより、留め具を回転させて突起を凹部から離脱させることができ、これにより、蓋体および箱体は開錠される。開錠方式は十分便利であり、留め金式構造に開錠時の困難が容易に出現する欠陥を解決した。弾性機構は、留め具を回転させた後、留め具に弾力を生じさせることができる。蓋体を箱体に結合させるとき、留め具を自発的に引き動かして元の位置に戻るように回転させ、突起を凹部に嵌入させて施錠し、蓋体が結合する過程を簡略化した。それと同時に、凹部および留め具は工具箱内部に設置され、ぶつかっても壊れにくく、その使用寿命がより長くなる。
【図面の簡単な説明】
【００１５】
以下、図および具体的な実施方式を組み合わせて、本考案についてさらに説明する。
【００１６】
【図１】図１は、本考案の構造概要図である。
【図２】図２は、本考案の構造概要図である。
【図３】図３は、図１のＡ領域の部分拡大図である。
【図４】図４は、本考案の蓋体の断面図である。
【図５】図５は、図１のＢ領域の部分拡大図である。
【図６】図６は、本考案の仕切箱の構造概要図である。
【考案を実施するための形態】
【実施例】
【００１７】
以下、図を組み合わせて、本考案の具体的実施方式について詳細に説明する。
【００１８】
図１および図２に示すように、本考案は箱体１と箱体にヒンジ連結される蓋体２とを含む。前記箱体の内壁に凹部１０１が設けられ、前記蓋体の内側面に留め具２０１がヒンジ連結される。前記留め具に凹部と組み合わさる突起２０１１が設けられ、留め具および蓋体のヒンジ連結端に連接棒２０１２が設けられる。蓋体の外側面に連接棒を押し動かして留め具を回転させることができる開錠ブロック２０３が設けられ、留め具と蓋体との間に、留め具が回転した後、留め具に弾力を生じさせて留め具を元の位置に戻すことができる弾性機構が設けられる。前記蓋体２の外側面に第１の溝２０４が設けられ、蓋体の内側面に第１の溝と通じる貫通孔２０５が設けられる。前記連接棒２０１２の一端は貫通孔に挿入され、前記突起２０１１は連接棒のもう一端に設置される。前記開錠ブロック２０３は第１の溝中にスライドするように設置され、開錠ブロックの一端は貫通孔に挿入されて連接棒に当接する。該構造中の開錠ブロックは第１の溝中に嵌入され、連接棒は蓋体内の貫通孔中に設置される。これにより、開錠ブロックおよび連接棒が工具箱の外に露出し、容易にぶつかって壊れる欠陥を防止すると同時に、工具箱の空間利用率を高めた。前記蓋体２の外側面に第３の溝２０８が設けられ、第３の溝中に提げ手２０９が設けられる。前記提げ手は第３の溝の側壁にヒンジ連結され、提げ手を回転させて第３の溝中に収納することができる。提げ手を使用しないとき、第３の溝中に収納することができ、空間利用率を高める。前記箱体１の両側の外壁に第４の溝１０４が設けられ、第４の溝中に防護プレート１０５が設けられ、防護プレートはボルト１０６で第４の溝中に固定される。防護プレートにより、箱体の両側に鋭利な物で衝撃を受けても壊れにくく、それと同時に、防護プレートが第４の溝に嵌入されることにより、箱体外部の体積が増加せず、空間利用率を高めた。
【００１９】
図３に示すように、前記蓋体２の内側面にいくつかの柱体２０６が設けられ、前記留め具２０１および柱体はヒンジ連結軸２０７でヒンジ連結されてつながる。留め具および柱体のヒンジ連結は、蓋体の内側面に直接ヒンジ連結するよりさらに堅固で安定する。
【００２０】
弾性機構の第１の実施例：前記弾性機構はヒンジ連結軸に嵌着されるねじりバネ３であり、ねじりバネの一端は留め具２０１とつながり、ねじりバネのもう一端は柱体２０６とつながる。ねじりバネを採用して弾性機構とすると、構造が簡単で、取付が便利である。留め具が回転した後、ねじりバネにトルクが生じ、留め具を回転させて元の位置に戻す。
【００２１】
弾性機構の第２の実施例：図４に示すように、前記弾性機構は留め具２０１と蓋体２との間に設置されるバネ４であり、バネの一端は蓋体の内側面とつながり、バネのもう一端は留め具とつながる。バネを採用して弾性機構とすると、取付工程を簡略化することができ、コストが低下する。留め具が回転した後、ねじりバネに弾性張力が生じ、留め具を回転させて元の位置に戻す。
【００２２】
図２および図３に示すように、前記凹部１０１の上端の外壁に第１の斜面１０１１が設けられ、前記突起２０１１に第１の斜面と符合する第２の斜面２０１１ａが設けられる。凹部は好ましくは、蓋体および箱体のヒンジ連結端に向いた箱体の内壁に設置され、凹部および突起の数は、より良好な固定効果を有するように、好ましくは２個である。該構造は、蓋体を箱体と結合させるとき、突起が第１の斜面に沿って自発的に凹部に滑り込むことができ、蓋体が箱体と結合する効率を高めた。前記第１の溝２０４の側壁に、開錠ブロック２０３に当接するストッパー２０４１が設けられる。該構造について、第１の溝をストッパーよって蓋体の開錠に用いる部分的な溝に仕切るとき、指を該仕切られた溝に挿入し、開錠ブロックを押し動かすが、開錠ブロックを押し動かす操作がより容易になる。
【００２３】
図５および図６に示すように、前記箱体１内に仕切箱５が設けられ、前記仕切箱の周囲に外側に延伸する突出部５０１が設けられ、前記突出部に第２の溝５０２が設けられる。箱体の内壁に突部１０２が設けられ、突部に固定片１０３が設けられ、前記固定片は第２の溝と係着して組み合わさる。仕切箱は細かい部品を入れるのに用いられ、このうちの突出部は箱体の４側の内壁にそれぞれ設置される。凹部は突出部の上に設置され、固定片は他の３つの突出部の上端にそれぞれ設置される。仕切箱は第２の溝により固定片と係着し、箱体内部に固定される。仕切箱にハンドル５０３が設けられ、仕切箱の着脱に便利である。
【００２４】
本考案の使用方法は次の通りである。
工具箱を開けるとき、ストッパーによって第１の溝が仕切られてできた溝内に指を入れ、開錠ブロックを押し動かす。開錠ブロックが連接棒に当接するため、連接棒がヒンジ連結軸を中心に回転し、相応して、留め具もヒンジ連結軸を中心に回転する。突起は凹部から離脱し、蓋体を開くことができる。
【００２５】
工具箱を結合するとき、直接蓋体を結合するだけである。凹部上方の第１の斜面が突起の第２の斜面と符合し、第２の斜面は第１の斜面に接触した後、留め具をやや回転させるため、これにより、弾性機構は留め具を回転させて元の位置に戻す弾力を留め具に生じさせ、最終的に突起が凹部に滑り込む。これにより、蓋体を緊密に箱体に結合させ、十分に便利である。
【００２６】
以上は本考案の好ましい実施例についての説明であるが、実用新案登録請求の範囲を制限すると理解することはできない。本考案は以上の実施例に制限されず、その具体的な構造は変化してもよい。当業者は本考案に基づいて、各種の改良および変形を行うことができるが、本考案の趣旨を逸脱しなければ、いずれも本考案に添付の実用新案登録請求の範囲に定義する範囲に属する。
【図１】
0003203412.tif 000003
【図２】
0003203412.tif 000004
【図３】
0003203412.tif 000005
【図４】
0003203412.tif 000006
【図５】
0003203412.tif 000007
【図６】
0003203412.tif 000008